【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
光源から射出された光より分割された測定光が照射された被検体からの戻り光と、前記射出された光より分割された参照光とを合波して得た干渉光より得られる断層情報に基づいて、断層画像を生成する画像生成手段と、
前記測定光を前記被検体に導くための測定光学系を駆動する駆動手段と、
前記測定光学系との距離が所定の距離になるように前記測定光学系が駆動された後に、前記測定光学系を構成する少なくとも１つの光学素子で反射した反射光と前記参照光との干渉により生じるゴーストが被検体像に近接して或いは重なった状態で断層画像に現れている場合に、前記測定光学系の駆動に関する情報を検査者に報知する報知手段と、
を備えることを特徴とする光断層撮像装置。
【請求項２】
前記断層画像において前記ゴーストが出現する第一の位置を特定する第一の特定手段と、
前記断層情報に基づいて、前記断層画像において前記被検体像が出現する第二の位置を特定する第二の特定手段と、
前記特定された第一の位置と前記特定された第二の位置とに基づいて、前記ゴーストが前記被検体像に近接して或いは重なって出現するか否かを判定する判定手段と、
を更に備えることを特徴とする請求項１に記載の光断層撮像装置。
【請求項３】
前記第一の特定手段は、前記断層情報に基づいて、前記断層画像において前記ゴーストが出現する第一の位置を特定することを特徴とする請求項２に記載の光断層撮像装置。
【請求項４】
前記第一の特定手段は、前記断層画像において前記被検体の深さ方向に対応する方向に並ぶ画素群の中で周囲の画素とは無関係に存在する輝度ピークを示す画素を探索することにより、前記断層画像において前記ゴーストが出現する第一の位置を特定し、
前記第二の特定手段は、前記断層画像において前記被検体の深さ方向に対応する方向において画素値が連続的に変化するように並ぶ画素群の中で輝度ピークを示す画素を探索することにより、前記断層画像において前記被検体像が出現する第二の位置を特定することを特徴とする請求項２又は３に記載の光断層撮像装置。
【請求項５】
前記第一の特定手段は、前記参照光の光路長と前記ゴーストの出現位置との関係についてのテーブルに基づいて、前記断層画像において前記ゴーストが出現する第一の位置を特定することを特徴とする請求項２に記載の光断層撮像装置。
【請求項６】
前記テーブルを記憶する記憶手段を更に備え、
前記記憶手段は、前記光断層撮像装置の機体差に関する情報を併せて記憶することを特徴とする請求項５に記載の光断層撮像装置。
【請求項７】
前記判定手段により前記ゴーストが前記被検体像に近接して或いは重なって出現すると判定された場合、前記報知手段は、前記被検体と前記測定光学系とのアライメントの状態を示すアライメント指標の形状及び色の少なくとも何れかを変更することを特徴とする請求項２乃至６の何れか一項に記載の光断層撮像装置。
【請求項８】
前記報知手段は、前記特定された第一の位置と前記特定された第二の位置とに基づいて算出される前記駆動手段による前記測定光学系の前記所定の距離からの駆動量を検査者に報知することを特徴とする請求項２乃至７の何れか一項に記載の光断層撮像装置。
【請求項９】
前記判定手段により前記ゴーストが前記被検体像に近接して或いは重なって出現すると判定された場合、前記報知手段は、効果音、音声案内、前記光断層撮像装置に配された報知用のランプ、及び前記光断層撮像装置を制御する制御ソフト画面上に表示されるダイアログの少なくとも何れかにより、前記駆動手段が前記所定の距離から前記測定光学系を駆動することを検査者に報知することを特徴とする請求項２乃至８の何れか一項に記載の光断層撮像装置。
【請求項１０】
前記報知手段は、前記特定された第一の位置と前記特定された第二の位置とに基づいて算出される前記駆動手段による前記測定光学系の前記所定の距離からの駆動量、及び前記駆動手段によって前記測定光学系を前記所定の距離から駆動させる際の前記測定光学系の前記被検体に対する駆動方向の少なくとも何れかを検査者に報知する指標像を、前記被検体と前記測定光学系とのアライメントの状態を示す画像に重畳して表示させることを特徴とする請求項２乃至９の何れか一項に記載の光断層撮像装置。
【請求項１１】
前記報知手段は、前記駆動手段によって前記測定光学系を前記所定の距離から駆動させる際の前記測定光学系の前記被検体に対する駆動方向を、検査者に報知することを特徴とする請求項１乃至１０の何れか一項に記載の光断層撮像装置。
【請求項１２】
前記報知手段は、前記駆動手段による前記測定光学系の前記所定の距離からの駆動が終了したことを検査者に報知することを特徴とする請求項１乃至１１の何れか一項に記載の光断層撮像装置。
【請求項１３】
前記測定光学系を含む光学ヘッドに含まれ、前記測定光の光路長と前記参照光の光路長との差を調整する調整手段であって、前記光学ヘッドと前記被検体との距離が維持された状態で前記差の調整が可能な調整手段を更に備え、
前記駆動手段は、少なくとも前記被検体の深さ方向における前記被検体に対する前記光学ヘッドのアライメントが可能であり、
前記情報が報知された後に、前記駆動手段により前記光学ヘッドが駆動され、且つ前記調整手段により前記差が調整されることを特徴とする請求項１乃至１２の何れか一項に記載の光断層撮像装置。
【請求項１４】
前記被検体と前記測定光学系との作動距離が所定の作動距離になるように前記駆動手段を制御し且つ前記差が所定の光路長差になるように前記調整手段を制御した後に、前記断層画像における前記ゴーストが被検体像に近接して或いは重なっている場合には、前記ゴーストが近接していない或いは重なっていない状態の被検体像を含む断層画像を得るための前記作動距離の変更であって、前記作動距離の変更に伴う前記被検体に対する前記測定光の光路長の変更が前記差の調整によって低減されるように、前記駆動手段を制御し、且つ前記調整手段を制御することを特徴とする請求項１３に記載の光断層撮像装置。
【請求項１５】
前記報知手段は、前記駆動手段による前記所定の距離からの前記測定光学系の駆動量に関する駆動許容範囲であって、前記測定光学系の前記所定の距離からの駆動量が前記駆動許容範囲を超える場合には、前記報知手段により前記調整手段による前記差の調整が必要である旨を報知することを特徴とする請求項１３又は１４に記載の光断層撮像装置。
【請求項１６】
前記差の調整が必要である旨の報知が行われた場合、前記調整手段により前記差が調整され、前記駆動手段により前記光学ヘッドが駆動されることを特徴とする請求項１３乃至１５の何れか一項に記載の光断層撮像装置。
【請求項１７】
前記被検体は被検眼であることを特徴とする請求項１乃至１６の何れか一項に記載の光断層撮像装置。
【請求項１８】
前記被検眼の瞳孔径を算出する手段と、
前記算出された瞳孔径に応じて、前記駆動手段による前記所定の距離からの前記測定光学系の駆動量に関する駆動許容範囲を変更する手段と、
を更に備えることを特徴とする請求項１７に記載の光断層撮像装置。
【請求項１９】
前記測定光を前記被検体において二次元で走査する走査部を更に備え、
前記画像生成手段は、前記測定光の走査により得られた前記被検体の三次元の前記断層情報に基づいて前記断層画像を生成することを特徴とする請求項１乃至１８の何れか一項に記載の光断層撮像装置。
【請求項２０】
前記断層画像に出現する前記ゴーストを示す表示形態を、前記断層画像に付記させる表示制御手段を更に備えることを特徴とする請求項１乃至１９の何れか一項に記載の光断層撮像装置。
【請求項２１】
前記光源は波長掃引光源であり、
前記ゴーストは、前記光学素子が前記測定光を反射する反射面までのコヒーレンスゲートからの距離が前記波長掃引光源の共振器長の整数倍となる時に前記反射光と前記参照光との干渉により生じるコヒーレンスリバイバルゴーストであることを特徴とする請求項１乃至２０の何れか一項に記載の光断層撮像装置。
【請求項２２】
光源から射出された光より分割された測定光が照射された被検体からの戻り光と、前記射出された光より分割された参照光とを合波して得た干渉光より得られる断層情報に基づいて、断層画像を生成する画像生成手段と、前記測定光を前記被検体に導くための測定光学系を駆動する駆動手段と、を備える光断層撮像装置の作動方法であって、
前記測定光学系との距離が所定の距離になるように前記測定光学系が駆動された後に、前記測定光学系を構成する少なくとも１つの光学素子で反射した反射光と前記参照光との干渉により生じるゴーストが被検体像に近接して或いは重なった状態で断層画像に現れている場合に、前記測定光学系の駆動に関する情報を検査者に報知する工程を含むことを特徴とする光断層撮像装置の作動方法。
【請求項２３】
請求項２２に記載の光断層撮像装置の作動方法をコンピュータに実行させることを特徴とするプログラム。
【手続補正２】
【補正対象書類名】明細書
【補正対象項目名】００１０
【補正方法】変更
【補正の内容】
【００１０】
上述した課題を解決するために、本発明の一態様に係る光断層撮像装置は、
光源から射出された光より分割された測定光が照射された被検体からの戻り光と、前記射出された光より分割された参照光とを合波して得た干渉光より得られる断層情報に基づいて、断層画像を生成する画像生成手段と、
前記測定光を前記被検体に導くための測定光学系を駆動する駆動手段と、
前記測定光学系との距離が所定の距離になるように前記測定光学系が駆動された後に、前記測定光学系を構成する少なくとも１つの光学素子で反射した反射光と前記参照光との干渉により生じるゴーストが被検体像に近接して或いは重なった状態で断層画像に現れている場合に、前記測定光学系の駆動に関する情報を検査者に報知する報知手段と、を備えることを特徴とする。